(57)【要約】【課題】ＡＧＣ電圧が所定の電圧値以下であっても、信号強度を表示させること。【解決手段】無線通信機１００は、受信信号の信号強度を表示するＳメータ１１０と、受信信号の振幅を所定範囲に制御するＡＧＣ制御を行うＡＧＣ回路部１０９と、を備える。ＡＧＣ回路部１０９は、ＡＧＣ制御に基づいた信号強度を表示するためのＡＧＣ−Ｓメータ値と、ＡＧＣ制御が動作しない信号強度の場合に受信信号を検波した値に基づいた信号強度を表示するための拡張Ｓメータ値と、の２つを所定の条件に基づき切り替える。【選択図】図１
2019169889.tif 000002
【特許請求の範囲】
【請求項１】
受信信号の信号強度を表示するＳメータと、
前記受信信号の振幅を所定範囲に制御するＡＧＣ制御を行うＡＧＣ回路部と、を備え、
前記ＡＧＣ回路部は、ＡＧＣ制御に基づいた信号強度を表示するためのＡＧＣ−Ｓメータ値と、ＡＧＣ制御が動作しない信号強度の場合に前記受信信号を検波した値に基づいた信号強度を表示するための拡張Ｓメータ値と、の２つを所定の条件に基づき切り替えることを特徴とする無線通信機。
【請求項２】
前記ＡＧＣ回路部は、受信信号を検波して平滑した信号レベルと、所定の第１基準値との第１差分値に基づいてＡＧＣ制御を行い、
前記ＡＧＣ−Ｓメータ値は、前記第１差分値に基づいた値であり、
拡張Ｓメータ値は、前記受信信号を検波した値と第１の基準値より小さい所定の第２基準値との第２差分値に基づいた値であり、
前記所定の条件は、前記ＡＧＣ制御が動作中には前記ＡＧＣ−Ｓメータ値が選択され、前記ＡＧＣ制御が動作中ではない場合は、前記拡張Ｓメータ値が選択されることを特徴とする請求項１に記載の無線通信機。
【請求項３】
前記拡張Ｓメータ値は、
前記ＡＧＣ制御が動作中ではない場合は、前記受信信号を検波した値を前記ＡＧＣ制御のリリースの時定数と同じ時定数の積分器を介して出力された値と、前記第２基準値との差分値であり、
前記ＡＧＣ制御が動作中の場合は、前記第１基準値を前記積分器を介して出力された値と、前記第２基準値との差分値であることを特徴とする請求項２に記載の無線通信機。
【発明の詳細な説明】
【技術分野】
【０００１】
本発明は、無線通信機に関する。
【背景技術】
【０００２】
受信信号の信号強度を表示するＳメータが搭載された無線通信機がある。
【０００３】
例えば、特許文献１には、Ｓメータ電圧と、ＡＧＣ(Automatic  Gain  Control）電圧とを参照して、受信電界強度を正確に検出することができる受信電界強度検出回路が開示されている。
【先行技術文献】
【特許文献】
【０００４】
【特許文献１】特開２００１―３５２２６６号公報
【発明の概要】
【発明が解決しようとする課題】
【０００５】
特許文献１に記載されている受信電界強度検出回路は、ＡＧＣ電圧およびＳメータ電圧それぞれに対応した受信電界強度テーブルを有し、ＡＧＣ電圧とＳメータ電圧とに基づいて、受信電界強度テーブルから受信電界強度情報を出力する。しかしながら、特許文献１に記載の受信電界強度検出回路では、この出力を視覚的に表示する場合に、ＡＧＣ電圧とＳメータ電圧との領域それぞれでの信号強度が変化した場合の表示の変化の違いを考慮していない。そのため、ＡＧＣ電圧とＳメータ電圧との領域を信号強度が跨ぐ信号に対して、表示の変化の連続性が保てず違和感が生じる。
【０００６】
そこで、本発明は、受信信号が所定の強度以下であっても、信号強度を表示させることができ、また信号強度の表示の連続性を保つことができる無線通信機を提供することを課題とする。
【課題を解決するための手段】
【０００７】
本発明の第一の態様の無線通信機は、受信信号の信号強度を表示するＳメータと、
前記受信信号の振幅を所定範囲に制御するＡＧＣ制御を行うＡＧＣ回路部と、を備え、
前記ＡＧＣ回路部は、ＡＧＣ制御に基づいた信号強度を表示するためのＡＧＣ−Ｓメータ値と、ＡＧＣ制御が動作しない信号強度の場合に前記受信信号を検波した値に基づいた信号強度を表示するための拡張Ｓメータ値と、の２つを所定の条件に基づき切り替える。
【発明の効果】
【０００８】
本発明によれば、受信信号が所定の強度以下であっても、信号強度を表示させることができ、また信号強度の表示の連続性を保つことができる。
【図面の簡単な説明】
【０００９】
【図１】図１は、本発明の実施形態に係る無線通信機の構成の一例を示す模式図である。
【図２】図２は、ＡＧＣ回路の構成の一例を示す模式図である。
【図３】図３は、Ｓメータの表示値と、アンテナに入力された信号の強度との対応関係の一例を示す図である。
【図４】図４は、ＡＧＣ回路の動作を説明するための図である。
【図５】図５は、ＡＧＣ回路の動作を説明するための図である。
【発明を実施するための形態】
【００１０】
以下、図面を参照しながら、本発明の実施形態について詳細に説明する。なお、各図において同一または相当する部分には同一の符号を付して適宜説明は省略する。
【００１１】
図１を用いて、本発明の実施形態に係る無線通信機の構成について説明する。図１は、本発明の実施形態に係る無線通信機の構成を示す模式図である。
【００１２】
図１は、本発明の実施例１に係る無線通信機１００の構成を示す。無線通信機１００は、アンテナ１０１と、第１混合器１０２と、第１局部発振器１０３と、ＢＰＦ（Band  Pass  Filter）１０４と、増幅部１０５と、第２混合器１０６と、第２局部発振器１０７と、ＬＰＦ（Low  Pass  Filter）１０８と、ＡＧＣ回路部１０９と、Ｓメータ１１０と、復調部１１１と、スピーカ１１２と、制御部１１３と、記憶部１１４とを備える。
【００１３】
アンテナ１０１は、外部の送信装置からのＲＦ（Radio  Frequency）信号を受信する。具体的には、アンテナ１０１は、ＳＳＢ（Single  Side  Band）方式や、ＡＭ（Amplitude  Modulation）方式で変調された信号を受信する。アンテナ１０１は、受信したＲＦ信号を第１混合器１０２に出力する。
【００１４】
第１局部発振器１０３は、第１局部発振信号を第１混合器１０２へ出力する。第１混合器１０２は、アンテナ１０１から受けたＲＦ信号と、第１局部発振器１０３から受けた第１局部発振信号とを乗算することによって、ＩＦ（Intermediate  Frequency）信号を生成する。第１混合器１０２は、生成したＩＦ信号をＢＰＦ１０４に出力する。
【００１５】
ＢＰＦ１０４は、第１混合器１０２から受けたＩＦ信号に対して、特定の周波数領域の信号をフィルタリングする。ＢＰＦ１０４は、フィルタリングを実行したＩＦ信号を増幅部１０５に出力する。
【００１６】
増幅部１０５は、例えば、ＬＮＡ（Low  Noise  Amplifier）であり、ＢＰＦ１０４から受けたＩＦ信号を増幅する。増幅部１０５は、増幅したＩＦ信号を第２混合器１０６に出力する。
【００１７】
第２局部発振器１０７は、第２局部発振信号を第２混合器１０６に出力する。第２混合器１０６は、増幅部１０５から受けたＩＦ信号と、第２局部発振器１０７から受けた第２局部発振信号とを乗算することによって、ＩＦ信号を生成する。第２混合器１０６は、ＩＦ信号をＬＰＦ１０８に出力する。
【００１８】
ＬＰＦ１０８は、第２混合器１０６から受けたＩＦ信号に対してフィルタリングを実行する。ＬＰＦ１０８は、フィルタリングを実行したＩＦ信号の高帯域の成分を除去して、低帯域の成分をＡＧＣ回路部１０９に出力する。
【００１９】
ＡＧＣ回路部１０９は、ＬＰＦ１０８から受けたＩＦを増幅する。ＡＧＣ回路部１０９は、ゲインを調整し、出力を一定のレベル以上とならないように制御する。具体的には、ＡＧＣ回路部１０９は、受信信号の振幅レベルが一定の以上の場合に、無線通信機１００の内部での飽和を防止するために必要な線形性の範囲でゲインを調整し、一定の振幅レベルに制御する。一定の振幅レベルとは、無線通信機１００の設計に応じて定められ、リファレンスレベルとも呼ばれる。ＡＧＣ回路部１０９は、増幅したＩＦ信号を復調部１１１へ出力する。また、ＡＧＣ回路部１０９は、Ｓメータ１１０に、信号強度に基づいた信号強度を表示させるための情報を出力する。
【００２０】
Ｓメータ１１０は、アンテナ１０１で受信した受信信号の信号強度を表示する。
【００２１】
復調部１１１は、ＡＧＣ回路部１０９から受けたＩＦ信号を復調することで音声信号を生成する。復調部１１１は、例えば、ＳＳＢ方式や、ＡＭ方式の復調に対応している。復調部１１１は、生成した音声信号をスピーカ１１２に出力する。
【００２２】
スピーカ１１２は、復調部１１１から受けた音声信号を音声として出力する。
【００２３】
制御部１１３は、無線通信機１００を構成する各部を制御する。具体的には、制御部１１３は、記憶部１１４が記憶するプログラムを展開して実行することで、無線通信機１００を構成する各部を制御する。制御部１１３は、例えば、ＣＰＵ（Central  Processing  Unit）を含む電子的な回路で実現することができる。
【００２４】
記憶部１１４は、制御部１１３が無線通信機１００を制御するためのプログラムを記憶している。記憶部１１４は、例えば、ＲＡＭ（Random  Access  Memory）、ＲＯＭ（Read  Only  Memory）、フラッシュメモリ（Flash  Memory）などの半導体メモリ素子、または、ハードディスク、ソリッドステートドライブ、光ディスクなどの記憶装置である。また、記憶部１１４は、無線または有線で接続される外部記憶装置などであってもよい。
【００２５】
図２を用いて、ＡＧＣ回路部１０９について説明する。図２は、ＡＧＣ回路部１０９の構成の一例を示す模式図である。
【００２６】
図２に示すように、ＡＧＣ回路部１０９は、ＩＦ信号増幅部２０１と、絶対値変換部２０２と、第１積分器２０３と、第１減算器２０４と、基準電圧出力部２０５と、第１スイッチ部２０６と、ＡＧＣ電圧出力部２０７と、ゲイン調整部２０８と、第２スイッチ部２０９と、第２積分器２１０と、第２減算器２１１と、Ｓメータ設定部２１２、第３スイッチ部２１３と、Ｓメータ変換部２１４とを備える。ＡＧＣ回路部１０９を構成する各部は、制御部１１３によって制御される。
【００２７】
まず、ＡＧＣ回路部１０９がＩＦ信号増幅部２０１のゲインを調整する方法について説明する。
【００２８】
ＩＦ信号増幅部２０１は、図１に図示のＬＰＦ１０８から受けたＩＦ信号を増幅する。ＩＦ信号増幅部２０１がＩＦ信号を増幅する量は、ＡＧＣ電圧出力部２０７が出力するＡＧＣ電圧値によって制御される。ＡＧＣ電圧値は、ＩＦ信号増幅部２０１のゲインを制御するための制御信号である。図２において、点線で示している矢印が、ＡＧＣ電圧値である。具体的には、ゲイン調整部２０８が、ＡＧＣ電圧値をゲイン設定値とし、ＩＦ信号増幅部２０１に出力する。ゲイン設定値が低い場合にはＩＦ信号増幅部２０１のゲインは小さくなり、ゲイン設定値が高い場合にはＩＦ信号増幅部２０１のゲインは大きくなる。ゲイン設定値には上限と、下限とが決められているため、ＩＦ信号増幅部２０１のゲインの最大値と、最小値とも決まっている。例えば、ＡＧＣ電圧値の上限が１であり、下限が０であるとすると、ゲイン調整部２０８は、ＡＧＣ電圧値が１の場合に、ＩＦ信号増幅部２０１のゲインの最大値が０ｄＢとし、ＡＧＣ電圧値が０の場合に、ＩＦ信号増幅部２０１のゲインの最小値が−６０ｄＢとする。ＩＦ信号増幅部２０１は、増幅したＩＦ信号を絶対値変換部２０２に出力する。
【００２９】
絶対値変換部２０２は、増幅されたＩＦ信号を絶対値に変換する。これはＩＦ信号に対して検波を行うことに相当する。絶対値変換部２０２は、絶対値に変換したＩＦ信号（検波信号）を第１積分器２０３と、第２スイッチ部２０９とに出力する。
【００３０】
第１積分器２０３は、絶対値変換部２０２から受けた検波信号を、所定の時定数で積分することによって平滑にして、ＩＦ信号レベルを算出する。これは検波したＩＦ信号を平滑することに相当する。第１積分器２０３は、ＩＦ信号レベルを第１減算器２０４に出力する。
【００３１】
第１減算器２０４は、第１積分器２０３から受けたＩＦ信号レベルと、基準電圧出力部２０５から入力されたＡＧＣの基準値(第１基準値)との差分（第１差分値）を算出することで、ＩＦ信号レベルと、ＡＧＣの基準値とを比較する。以下、ＡＧＣの基準値は、ＡＧＣリファレンスとも記載する。第１減算器２０４は、差分の結果を第１スイッチ部２０６に出力する。ＡＧＣリファレンスとは、ＡＧＣ回路部１０９が出力を一定以上とならないように制御を行う際の基準値である。ＡＧＣ回路部１０９は、ＡＧＣリファレンスレベルをＩＦ信号の振幅レベルが超えた場合に、ＩＦ信号増幅部２０１のゲインを下げ、出力を一定のレベル以上とならないように制御する。
【００３２】
ＡＧＣ電圧出力部２０７は、ＡＧＣ電圧値をゲイン調整部２０８に出力し、ＩＦ信号増幅部２０１のゲインを調整する。ＡＧＣ電圧出力部２０７は、ＡＧＣ電圧値を調整するためのリリース部２０７ａと、アタック部２０７ｂとを有する。
【００３３】
リリース部２０７ａは、ＩＦ信号の振幅がＡＧＣリファレンスを下回っていた場合に、出力するＡＧＣ電圧値を上昇させる。具体的には、リリース部２０７ａは、単位時間当たりの電圧加算量を少なくして、少しずつＡＧＣ電圧値を上昇させる。リリース部２０７ａは、例えば、数１００ミリ秒〜数秒程度の時間をかけて、ＡＧＣ電圧値を上昇させる。これにより、ＩＦ信号増幅部２０１のゲインも少しずつ上昇する。
【００３４】
アタック部２０７ｂは、ＩＦ信号の振幅がＡＧＣリファレンスを超えていた場合に、出力するＡＧＣ電圧値を下降させる。具体的には、アタック部２０７ｂは、単位時間当たりの電力減算量を大きくして、急峻にＡＧＣ電圧値を下降させる。アタック部２０７ｂは、数ミリ秒程度の短い時間でＡＧＣ電圧値を下降させる。
【００３５】
ゲイン調整部２０８は、ＡＧＣ電圧値に応じて、ＩＦ信号増幅部２０１のゲインを調整する。すなわち、ゲイン調整部２０８は、ＡＧＣ電圧値をＩＦ信号増幅部２０１に設定するゲイン設定値に変換する。ゲイン調整部２０８は、ＡＧＣ電圧値と、ゲイン設定値とは対応付けられているので、数値計算によってＡＧＣ電圧値をゲイン設定値に変換することができる。ゲイン調整部２０８は、ＡＧＣ電圧値が上昇すると、ＩＦ信号増幅部２０１のゲインを大きくする。ゲイン調整部２０８は、ＡＧＣ電圧値が下降すると、ＩＦ信号増幅部２０１のゲインを小さくする。
【００３６】
無線通信機１００は、アンテナ１０１が変調信号を受信している間、上述の動作を繰り返すことによって、ゲインを調整している。
【００３７】
Ｓメータ変換部２１４は、ＡＧＣ電圧値をＳメータ１１０に出力するためのＡＧＣ‐Ｓメータ値に変換する。ＡＧＣ‐Ｓメータ値は、第３スイッチ部２１３を介して、Ｓメータ１１０に出力される。第３スイッチ部２１３は、ＡＧＣ電圧値が最大値でない場合に、ＡＧＣ‐Ｓメータ値を、Ｓメータ１１０に出力するように切り替える。つまり、ＩＦ信号レベルがＡＧＣリファレンスを超え、ＡＧＣ制御によるＩＦ信号増幅部２０１のゲイン調整を行っている場合は、ＡＧＣ‐Ｓメータ値が、Ｓメータ１１０に出力されており、Ｓメータ１１０は、ＡＧＣ制御に基づいたＳメータ表示となる。
【００３８】
次に、ＡＧＣ回路部１０９が、ＡＧＣリファレンス以下のＩＦ信号レベルの信号強度をＳメータ１１０に表示させる方法について説明する。
【００３９】
第２スイッチ部２０９は、絶対値変換部２０２から絶対値に変換された検波信号と、基準電圧出力部２０５からＡＧＣリファレンスとを切り替えを行い、いずれかを第２積分器に出力する。第２スイッチ部２０９は、ＡＧＣ電圧出力部２０７から受けたＡＧＣ電圧値に応じて、出力する信号が切り替わる構成となっている。具体的には、第２スイッチ部２０９は、ＡＧＣ電圧出力部２０７から受けたＡＧＣ電圧値が最大値である場合には、絶対値に変換されたＩＦ信号を第２積分器２１０に出力する。一方、第２スイッチ部２０９は、ＡＧＣ電圧出力部２０７から受けたＡＧＣ電圧値が最大値でない時には、ＡＧＣリファレンスを第２積分器２１０に出力する。すなわち、第２スイッチ部２０９は、ＡＧＣ電圧出力部２０７から受けたＡＧＣ電圧が最大値でない時には、検波信号をＡＧＣリファレンスに置き換える。
【００４０】
第２積分器２１０は、第２スイッチ部２０９から検波信号、またはＡＧＣリファレンスを所定の時定数で積分して、第２減算器２１１に出力する。すなわち、ＡＧＣ電圧出力部２０７から受けたＡＧＣ電圧値が最大値でない時には、第２積分器２１０による積分結果は、固定された値となる。ここで、第２積分器２１０に設定されている時定数は、リリース部２０７ａに設定されている時定数と同じである。時定数の具体的な値は、無線通信機１００が受信する電波の変調方式によって異なっている。時定数は、例えば、ユーザの聞きたい音声に応じて、所望の値に設定してもよいが、リリース部２０７ａと第２積分器２１０との時定数は連動する。
【００４１】
第２減算器２１１は、第２スイッチ部２０９から積分結果と、Ｓメータ設定部２１２からＳメータ１１０で表示させたいＩＦ信号の基準値(第２基準値)との差分を算出する。以下、Ｓメータリファレンスとも記載する。第２減算器２１１は、積分結果と、Ｓメータリファレンスとの差分値を算出することによって、積分結果がＳメータリファレンスに比べてどれだけ高いかを算出する。第２減算器２１１は、差分の結果を第３スイッチ部２１３に出力する。なお、Ｓメータリファレンスは、ＡＧＣリファレンスよりも低い値である。差分の結果である差分値は、拡張Ｓメータ値と定義する。また拡張Ｓメータ値は、ＡＧＣ制御が行われていない場合においては絶対値変換部２０２による検波信号に基づく値ともいえる。
【００４２】
第３スイッチ部２１３は、ＡＧＣ制御中は、つまりＡＧＣ電圧値が最大ではない場合は、Ｓメータ変換部２１４の出力であるＡＧＣ‐Ｓメータ値をＳメータ値としてＳメータ１１０に出力している。また第３スイッチ部２１３は、ＡＧＣ電圧値が最大の場合に、Ｓメータリファレンスと第２積分器の出力との差分値である拡張Ｓメータ値をＳメータ値として出力する。
【００４３】
図３を用いて、ＡＧＣリファレンスと、Ｓメータリファレンスとの関係について説明する。図３は、Ｓメータ１１０の表示値と、アンテナ１０１に入力された信号の強度との対応関係の一例を示す図である。
【００４４】
図３の標準値は、従来において慣例的に使用されているアンテナ入力レベルとＳメータ表示値との対応を示している。標準値は、ＳメータがＡＧＣ電圧に基づいた値でのみ表示する場合の信号レベルの一例である。具体的には、図３に示す例では、アンテナ入力レベルが、−１１０ｄＢｍの場合にＳメータ１１０が振れ出すことを意味している。希望値は、ＡＧＣ電圧に基づいた値では表示することが出来ない信号レベルでＳメータにその値を表示させた場合に希望する信号レベルである。具体的には、図３に示す例では、アンテナ入力レベルが−１２４ｄＢｍの場合にＳメータ１１０を振れさせたいということを意味している。
【００４５】
すなわち、図３に示す希望値を実現するためには、ＡＧＣ制御が行われる最小のアンテナ入力レベルは−１１０ｄＢｍで変えないものとすると、ＡＧＣリファレンスつまり基準電圧出力部２０５が出力する電圧値は、アンテナから−１１０ｄＢｍの信号が入力された場合の、第１積分器２０３の出力値に等しい。これを−１１０ｄＢｍのレベルの信号に相当する電圧値と表現することとする。一方、Ｓメータリファレンスは、アンテナから−１２４ｄＢｍの信号が入力された場合の、第２積分器２１０の出力値に等しい。これを−１２４ｄＢｍのレベルの信号に相当する電圧値と表現することとする。基準電圧出力部２０５は、−１１０ｄＢｍのレベルの信号に相当する電圧値（ＡＧＣリファレンス）を第１減算器２０４と、第２スイッチ部２０９とに出力する。Ｓメータ設定部２１２は、−１２４ｄＢｍのレベルの信号に相当する電圧値（Ｓメータリファレンス）を第２減算器２１１に出力する。なお、図３に示した値は例示であり、本発明を限定するものではない。
【００４６】
上述したように、Ｓメータ１１０に表示されるＳメータ値は第３スイッチ部２１３により、ＡＧＣ電圧値が最大値でない時と最大値の時とで切り替わる。ＡＧＣ制御のリリース動作によって、ＡＧＣ電圧値が上昇し最大値となった時にＳメータ１１０に表示されるＳメータ値が時間的に連続的かつ滑らかとなるように、第２積分器２１０には、ＡＧＣ電圧値が最大値でない時には常にＡＧＣリファレンスが入力されている。これは、ＡＧＣ電圧値が最大値でない時から最大値に変化した際にＳメータ値が減少する動きをするため、ＡＧＣ電圧値が最大値に変化した際に、その後のＳメータはＡＧＣリファレンスに基づいた値から継続することができる。
【００４７】
言い換えると、ＡＧＣ制御のリリースの時定数によりＡＧＣ電圧値が上昇し、Ｓメータ値が降下している時点では、第２積分器２１０の出力は、−１１０ｄＢｍのレベルの信号に相当する第１基準値（ＡＧＣリファレンス）に固定された値となっている。ＡＧＣ電圧値が最大となった場合に、第２スイッチ部２０９の入力が検波出力に切り替わるが、第２積分器２１０には切り替わる前には、第１基準値が入力されていたため、第１基準値の出力から変化していくことになる。さらにＡＧＣ電圧値が最大となった場合に、第３スイッチ部２１３は拡張Ｓメータ値をＳメータに出力するように切り替える。ＡＧＣ−Ｓメータ値は−１１０ｄＢｍまで表示可能であるため、切り替わった後の拡張Ｓメータ値は、−１１０ｄＢｍのレベルの信号に相当する第１基準値から表示を開始する。その後の拡張Ｓメータ値は、第２積分器の時定数に基づいた値となる。第２積分器の時定数は、ＡＧＣ制御のリリースの時定数と同じ時定数であるため、第２スイッチが切り替わった場合でもＳメータに出力される値の連続性が保たれる。
【００４８】
図４と、図５とを用いて、本実施形態に係るＳメータ値の変化を説明する。
【００４９】
図４は、ＡＧＣ回路部１０９に信号強度の高い(例えば、Ｓ９＋６０ｄＢ相当)をＩＦ信号が入力された場合のＳメータ値の変化を説明するための図である。図５は、ＡＧＣ回路部１０９にＡＧＣが掛からないレベルのＩＦ信号が入力された場合のＳメータの変化を示す図である。図４は、ＩＦ信号の振幅と、ＩＦ信号レベルと、ＡＧＣ電圧値と、Ｓメータ値とを示している。ＩＦ信号を示すグラフは、横軸が時間、縦軸が信号の振幅値を示す。ＩＦ信号レベルを示すグラフは、横軸が時間、縦軸がＩＦ信号レベルを示す。ＡＧＣ電圧値を示すグラフは、横軸が時間、縦軸がＡＧＣ電圧値を示す。Ｓメータ値を示すグラフは横軸が時間、縦軸がＳメータ値を示す。
【００５０】
図２に図示のＩＦ信号増幅部２０１は、時間Ｔ１の間に、信号強度の高いＩＦ信号１１を受ける。この場合、第１積分器２０３は、絶対値変換部２０２を通過したＩＦ信号１１を積分してＩＦ信号レベル１２を算出する。ＡＧＣ電圧出力部２０７は、ＩＦ信号増幅部２０１がＩＦ信号１１を受けると、時間Ｔ１の間に、最大値であったＡＧＣ電圧を最小値まで急峻に低下させる。ＡＧＣ電圧出力部２０７は、ＩＦ信号１１がＩＦ信号増幅部２０１に入力されなくなると、ＡＧＣ制御のリリースの時定数に基づいて時間Ｔ２の間に、ＡＧＣ電圧１３を最小値から最大値まで緩やかに上昇させる。
【００５１】
Ｓメータ１１０は、ＩＦ信号増幅部２０１にＩＦ信号１１が入力される時間Ｔ１と、ＡＧＣ電圧出力部２０７がＡＧＣ電圧１３を最小値から最大値まで上昇させる時間Ｔ２との間は、ＡＧＣ電圧１３によって、Ｓメータ値１４を表示する。Ｓメータ１１０は、ＡＧＣ電圧１３が最大値に達した後、時間Ｔ２と、時間Ｔ３との間を滑らかに表示するために、ＩＦ信号レベル１２に基づいた拡張Ｓメータ値に基づいて、Ｓメータ値１４を表示する。
【００５２】
図５を用いて、図２に図示のＩＦ信号増幅部２０１が、時間Ｔ４の間に、信号強度の低い（ＡＧＣがかからないレベルの信号強度）ＩＦ信号２１を受けた場合のＳメータ１１０の表示方法について説明する。図５は、ＩＦ信号の振幅と、第２積分器２１０の出力と、ＡＧＣ電圧値と、Ｓメータ値とを示している。ＩＦ信号を示すグラフは、横軸が時間、縦軸が信号の振幅値を示す。第２積分器２１０の出力を示すグラフは、横軸が時間、縦軸が積分値を示す。ＡＧＣ電圧値を示すグラフは、横軸が時間、縦軸がＡＧＣ電圧値を示す。Ｓメータ値を示すグラフは横軸が時間、縦軸がＳメータ値（拡張Ｓメータ値）を示す。
この場合、ＡＧＣ電圧出力部２０７は、常時、ＡＧＣ電圧２３を最大値で出力する。Ｓメータ１１０は、ＩＦ信号増幅部２０１にＩＦ信号２１が入力される時間Ｔ１と、積分結果２２が落ち込む時間Ｔ５との間で、第２積分器２１０からの積分値に基づいた拡張Ｓメータ値を、Ｓメータ値２４として表示する。
【００５３】
上述のとおり、本実施形態では、受信信号が所定の強度以下であっても、信号強度を表示させることができ、また受信信号が所定の強度を跨いでも表示の連続性を保つことができる。
【符号の説明】
【００５４】
１１，２１  ＩＦ信号
１２  ＩＦ信号レベル
１３，２３  ＡＧＣ電圧
１４，２４  Ｓメータ値
２２  積分結果
１００  無線通信機
１０１  アンテナ
１０２  第１混合器
１０３  第１局部発振器
１０４  ＢＰＦ
１０５  増幅部
１０６  第２混合器
１０７  第２局部発振器
１０８  ＬＰＦ
１０９  ＡＧＣ回路部
１１０  Ｓメータ
１１１  復調部
１１２  スピーカ
１１３  制御部
１１４  記憶部
２０１  ＩＦ信号増幅部
２０２  絶対値変換部
２０３  第１積分器
２０４  第１減算器
２０５  基準電圧出力部
２０６  第１スイッチ部
２０７  ＡＧＣ電圧出力部
２０７ａ  リリース部
２０７ｂ  アタック部
２０８  ゲイン調整部
２０９  第２スイッチ部
２１０  第２積分器
２１１  第２減算器
２１２  Ｓメータ設定部
２１３  第３スイッチ部
２１４  Ｓメータ変換部
【図１】
2019169889.tif 000003
【図２】
2019169889.tif 000004
【図３】
2019169889.tif 000005
【図４】
2019169889.tif 000006
【図５】
2019169889.tif 000007